(57)【要約】【課題】本発明は、広帯域無線接続システムに関し、より詳細には、マルチキャリア環境で端末が不要な動作を行うことを防止するための方法及びこれを行うための装置に関する。【解決手段】本発明の一実施例に係る多重キャリアをサポートする広帯域無線接続システムでキャリア結合モード（ｃａｒｒｉｅｒ  ａｇｇｒｅｇａｔｉｏｎ  ｍｏｄｅ）で動作する端末の動作方法は、サービング基地局で放送される第１の放送メッセージを介して隣接基地局のシステム情報及びキャリア結合モードに適用されるトリガーファンクション情報を獲得すること；前記の獲得したシステム情報を用いてマルチキャリアをサポートする隣接基地局の少なくとも一つのキャリアに対するチャンネル状態をスキャンすること；及び前記スキャンの結果が前記トリガーファンクション情報による条件を満足する場合、前記サービング基地局に第２のメッセージを伝送すること；を含むことができる。【選択図】図４
2013543671.tif 000002
【特許請求の範囲】
【請求項１】
多重キャリアをサポートする広帯域無線接続システムでキャリア結合モード（ｃａｒｒｉｅｒ  ａｇｇｒｅｇａｔｉｏｎ  ｍｏｄｅ）で動作する端末の動作方法において、
サービング基地局で放送される第１の放送メッセージを介して隣接基地局のシステム情報及びキャリア結合モードに適用されるトリガーファンクション情報を獲得すること；
前記の獲得したシステム情報を用いてマルチキャリアをサポートする隣接基地局の少なくとも一つのキャリアに対するチャンネル状態をスキャンすること；及び
前記スキャンの結果が前記トリガーファンクション情報による条件を満足する場合、前記サービング基地局に第２のメッセージを伝送すること；を含む、端末の動作方法。
【請求項２】
前記トリガーファンクション情報による条件は、前記のスキャンした少なくとも一つのキャリアのうち一定値以上のチャンネル状態を有するキャリアの個数がＮ個以上である場合に満足されることを特徴とする、請求項１に記載の端末の動作方法。
【請求項３】
前記Ｎ値は、前記第１の放送メッセージに隣接基地局別に含まれたり、前記サービング基地局のマルチキャリア情報を含む第３の放送メッセージに含まれることを特徴とする、請求項２に記載の端末の動作方法。
【請求項４】
前記Ｎ値は、前記端末の現在の活性キャリア（ａｃｔｉｖｅ  ｃａｒｒｉｅｒ）の個数であることを特徴とする、請求項２に記載の端末の動作方法。
【請求項５】
前記第２のメッセージは、スキャン報告（ＡＡＩ−ＳＣＮ−ＲＳＰ）メッセージ及びハンドオーバー要請（ＡＡＩ−ＨＯ−ＲＥＱ）メッセージを含む、請求項２に記載の端末の動作方法。
【請求項６】
多重キャリアをサポートする広帯域無線接続システムでマルチキャリアをサポートするサービング基地局がキャリア結合モード（ｃａｒｒｉｅｒ  ａｇｇｒｅｇａｔｉｏｎ  ｍｏｄｅ）で動作する端末の動作をサポートする方法において、
少なくとも一つの隣接基地局のシステム情報及びキャリア結合モードに適用されるトリガーファンクション情報を含む第１の放送メッセージを放送すること；及び
前記端末から前記少なくとも一つの隣接基地局がサポートする複数のキャリアに対するチャンネル状態情報を含む第２のメッセージを受信すること；を含む、端末サポート方法。
【請求項７】
前記端末は、前記少なくとも一つの隣接基地局のうち特定の基地局に対するスキャンを行い、前記特定の基地局がサポートする複数のキャリアのうち一定値以上のチャンネル状態を有するキャリアの個数がＮ個以上である場合、前記第２のメッセージを前記サービング基地局に伝送することを特徴とする、請求項６に記載の端末サポート方法。
【請求項８】
前記Ｎ値は、前記第１の放送メッセージに前記少なくとも一つの隣接基地局別に含まれたり、前記サービング基地局のマルチキャリア情報を含む第３の放送メッセージに含まれることを特徴とする、請求項７に記載の端末サポート方法。
【請求項９】
前記Ｎ値は、前記端末の現在の活性キャリア（ａｃｔｉｖｅ  ｃａｒｒｉｅｒ）の個数であることを特徴とする、請求項７に記載の端末サポート方法。
【請求項１０】
前記第１の放送メッセージは隣接公示（ＡＡＩ−ＮＢＲ−ＡＤＶ）メッセージで、前記第２のメッセージはスキャン報告（ＡＡＩ−ＳＣＮ−ＲＳＰ）メッセージであることを特徴とする、請求項６に記載の端末サポート方法。
【請求項１１】
多重キャリアをサポートする広帯域無線接続システムでキャリア結合モード（ｃａｒｒｉｅｒ  ａｇｇｒｅｇａｔｉｏｎ  ｍｏｄｅ）で動作する端末装置において、
プロセッサ；及び
前記プロセッサの制御によって外部との間で無線信号を送受信するための無線通信（ＲＦ）モジュール；を含み、
前記プロセッサは、サービング基地局で放送される第１の放送メッセージを介して隣接基地局のシステム情報及びキャリア結合モードに適用されるトリガーファンクション情報を獲得し、前記の獲得したシステム情報を用いてマルチキャリアをサポートする隣接基地局の少なくとも一つのキャリアに対するチャンネル状態をスキャンし、前記スキャンの結果が前記トリガーファンクション情報による条件を満足する場合、前記サービング基地局に第２のメッセージを伝送するように制御することを特徴とする端末装置。
【請求項１２】
前記プロセッサは、前記のスキャンした少なくとも一つのキャリアのうち一定値以上のチャンネル状態を有するキャリアの個数がＮ個以上である場合、前記トリガーファンクション情報による条件が満足されると判断することを特徴とする、請求項１１に記載の端末装置。
【請求項１３】
前記Ｎ値は、前記第１の放送メッセージに隣接基地局別に含まれたり、前記サービング基地局のマルチキャリア情報を含む第３の放送メッセージに含まれることを特徴とする、請求項１２に記載の端末装置。
【請求項１４】
前記Ｎ値は、前記端末装置の現在の活性キャリア（ａｃｔｉｖｅ  ｃａｒｒｉｅｒ）の個数であることを特徴とする、請求項１２に記載の端末装置。
【請求項１５】
前記第２のメッセージは、スキャン報告（ＡＡＩ−ＳＣＮ−ＲＳＰ）メッセージ及びハンドオーバー要請（ＡＡＩ−ＨＯ−ＲＥＱ）メッセージを含む、請求項１２に記載の端末装置。
【発明の詳細な説明】
【技術分野】
【０００１】
本発明は、広帯域無線接続システムに関し、より詳細には、マルチキャリア環境で端末が不要な動作を行うことを防止するための方法及びこれを行うための装置に関する。
【背景技術】
【０００２】
以下では、キャリア（Ｃａｒｒｉｅｒ）について簡略に説明する。
【０００３】
ユーザーは、正弦波又は周期的なパルス波の振幅、周波数及び／又は位相などに変調操作をし、伝送しようとする情報を含むことができる。このとき、情報を運搬する役割をする正弦波又はパルス波をキャリアという。
【０００４】
キャリアを変調する方式には、シングルキャリア変調方式（ＳＣＭ：Ｓｉｎｇｌｅ−Ｃａｒｒｉｅｒ  Ｍｏｄｕｌａｒｔｉｏｎ  ｓｃｈｅｍｅ）又はマルチキャリア（ＭＣＭ：Ｍｕｌｔｉ−Ｃａｒｒｉｅｒ  Ｍｏｄｕｌａｔｉｏｎ  ｓｃｈｅｍｅ）変調方式がある。このうち、シングルキャリア変調方式は、一つのキャリアに全ての情報を載せて変調する変調方式である。
マルチキャリア変調方式は、一つのキャリアの全体の帯域幅チャンネルを多数の小さい帯域幅を有する副チャンネル（Ｓｕｂ−ｃｈａｎｎｅｌ）に分割し、多数の狭帯域副キャリア（Ｓｕｂ−Ｃａｒｒｉｅｒ）を各副チャンネルを介して多重に伝送する技術をいう。
【０００５】
このとき、マルチキャリア変調方式（ＭＣＭ）を用いるとき、各副チャンネルは、小さい帯域幅によって平坦な特性（Ｆｌａｔ  Ｃｈａｎｎｅｌ）に近似化することができる。また、ユーザーは、簡単な等化器を使用してチャンネルの歪曲を補償することができる。また、マルチキャリア変調方式は、高速フーリエ変換（ＦＦＴ）を用いて高速具現が可能である。すなわち、シングルキャリア変調方式（ＳＣＭ）に比べて高速のデータ伝送に有利である。
【０００６】
基地局及び／又は端末機の性能の発展に伴い、基地局及び／又は端末機で提供又は使用できる周波数帯域幅は拡大されている。従って、本発明の各実施例では、一つ以上のキャリアを束ねて使用（Ｃａｒｒｉｅｒ  ａｇｇｒｅｇａｔｉｏｎ）することによって広帯域をサポートするマルチキャリアシステムを開示している。
【０００７】
すなわち、以下で説明するマルチキャリアシステムは、上述した一つのキャリアを分けて使用するマルチキャリア変調方式とは異なり、一つ以上のキャリアを束ねて使用する場合を示す。
【０００８】
多重帯域（Ｍｕｌｔｉ−Ｂａｎｄ；又は、マルチキャリア（Ｍｕｌｔｉ−Ｃａｒｒｉｅｒ））を効率的に使用するために、多数のキャリア（例えば、多数の周波数キャリア（ＦＣ：Ｆｒｅｑｕｅｎｃｙ  Ｃａｒｒｉｅｒ））を一つの媒体接続制御（ＭＡＣ）エンティティが管理する技術が提案されてきた。
【０００９】
図１の（ａ）及び（ｂ）は、多重帯域無線周波数（ＲＦ：Ｒａｄｉｏ  Ｆｒｅｑｕｅｎｃｙ）基盤の信号送受信方法を説明するための図である。
【００１０】
図１において、送信端及び受信端での一つの媒体接続制御階層は、マルチキャリアを効率的に使用するために多数のキャリアを管理することができる。このとき、マルチキャリアを効果的に送受信するために、送信端及び受信端は両方ともマルチキャリアを送受信できると仮定する。このとき、一つの媒体接続制御階層で管理される各周波数キャリア（ＦＣ：Ｆｒｅｑｕｅｎｃｙ  Ｃａｒｒｉｅｒ）は、互いに隣接する必要がないので、資源管理の面で柔軟である。すなわち、隣接キャリア集合（Ｃｏｎｔｉｇｕｏｕｓ  Ａｇｇｒｅｇａｔｉｏｎ）又は非隣接キャリア集合（Ｎｏｎ−ｃｏｎｔｉｇｕｏｕｓ  Ａｇｇｒｅｇａｔｉｏｎ）がいずれも可能である。
【００１１】
図１の（ａ）及び（ｂ）において、物理階層（ＰＨＹ）０、物理階層１、…、物理階層ｎ−２、物理階層ｎ−１は、本技術に係る多重帯域を示し、それぞれの帯域は予め定められた周波数政策に従って特定サービスのために割り当てる周波数キャリア（ＦＣ）の大きさを有することができる。例えば、物理階層０（ＲＦ  ｃａｒｒｉｅｒ  ０）は、一般のＦＭラジオ放送のために割り当てる周波数帯域の大きさを有することができ、物理階層１（ＲＦ  ｃａｒｒｉｅｒ  １）は、携帯電話通信のために割り当てる周波数帯域の大きさを有することができる。
【００１２】
このようにそれぞれの周波数帯域は、それぞれの周波数帯域特性によって互いに異なる周波数帯域の大きさを有することができるが、以下の説明では、説明の便宜上、各周波数キャリア（ＦＣ）がＡ［ＭＨｚ］の大きさを有すると仮定する。また、それぞれの周波数割り当て帯域は、基底帯域信号を各周波数帯域で用いるためのキャリア周波数に代表され得るので、以下では、各周波数割り当て帯域を「キャリア周波数帯域」又は、混同がない場合、各キャリア周波数帯域を代表する単純な「キャリア」と称することにする。また、最近の３ＧＰＰ  ＬＴＥ−Ａのように、上述したキャリアをマルチキャリア方式で用いられるサブキャリアと区分するために「成分キャリア（ｃｏｍｐｏｎｅｎｔ  ｃａｒｒｉｅｒ）」と称することができる。
【００１３】
このような側面で、上述した「多重帯域」方式は、「多重キャリア」方式又は「キャリア集合（ｃａｒｒｉｅｒ  ａｇｇｒｅｇａｔｉｏｎ）」方式と称することもできる。
【００１４】
図２は、一般的な無線通信システムで多重搬送波が用いられる形態の一例を示す。
【００１５】
図２の（ａ）を参照すると、一般的技術での多重搬送波は、連続する各搬送波の集合（ｃｏｎｔｉｇｕｏｕｓ  ｃａｒｒｉｅｒ  ａｇｇｒｅｇａｔｉｏｎ）であるか、図２の（ｂ）のように不連続的な各搬送波の集合（ｎｏｎ−ｃｏｎｔｉｇｕｏｕｓ  ｃａｒｒｉｅｒ  ａｇｇｒｅｇａｔｉｏｎ）であり得る。このような各搬送波を結合する単位は、一般的技術であるレガシーシステム（ｅ．ｇ．，ＬＴＥ（Ｌｏｎｇ  Ｔｅｒｍ  Ｅｖｏｌｕｔｉｏｎ）−ａｄｖａｎｃｅｄシステムの場合はＬＴＥ、ＩＥＥＥ  ８０２．１６ｍシステムの場合はＩＥＥＥ  ８０２．１６ｅ）の基本帯域幅単位である。一般的技術の多重搬送波環境では、次のような二つのタイプの搬送波を定義する。
【００１６】
まず、第１の搬送波（又はプライマリーキャリア、ｐｒｉｍａｒｙ  ｃａｒｒｉｅｒ）は、端末と基地局のトラフィック、完全な物理階層及び媒体接続制御階層の制御情報（ｆｕｌｌ  ＰＨＹ／ＭＡＣ  ｃｏｎｔｒｏｌ  ｉｎｆｏｒｍａｔｉｏｎ）の交換が行われる搬送波をいう。また、主搬送波は、網進入などの端末の一般的動作にも使用することができる。各端末は、一つのセルで一つの主搬送波を有する。
【００１７】
そして、第２の搬送波（又はセカンダリーキャリア、ｓｅｃｏｎｄａｒｙ  ｃａｒｒｉｅｒ）は、通常、第１の搬送波から受信される基地局特定の割り当て命令と法則に従うトラフィックの交換に使用できる付加的な搬送波をいう。第２の搬送波は、マルチキャリア動作をサポートするための制御シグナリングを含むことができる。一般に、プライマリーキャリアを介して全ての制御情報とセカンダリーキャリアに対する情報まで受けるようになり、セカンダリーキャリアを介してデータの送受信を行うようになる。
【００１８】
一般的技術は、上述したプライマリー及びセカンダリーキャリアを基盤にして多重搬送波（ｍｕｌｔｉ−ｃａｒｒｉｅｒ）システムの搬送波を、次のように全体設定搬送波（Ｆｕｌｌｙ  ｃｏｎｆｉｇｕｒｅｄ  ｃａｒｒｉｅｒ）と部分設定搬送波（Ｐａｒｔｉａｌｌｙ  ｃｏｎｆｉｇｕｒｅｄ  ｃａｒｒｉｅｒ）に区分することができる。
【００１９】
まず、全体設定搬送波は、同期化、放送、マルチキャスト及びユニキャスト制御チャンネルを含む全ての制御シグナリングが設定される搬送波をいう。また、多重搬送波の運用と他の搬送波に対する情報及び各パラメーターを前記各制御チャンネルに含ませることができる。
【００２０】
部分設定搬送波は、時分割二重化ダウンリンク伝送（ＴＤＤ  ＤＬ  ｔｒａｎｓｍｉｓｓｉｏｎ）又は周波数分割二重化（ＦＤＤ）モードで対をなすアップリンクキャリアのないダウンリンクキャリアでダウンリンク伝送をサポートするための全ての制御チャンネルが設定されるキャリアをいう。一つの端末に設定された全体設定搬送波であるセカンダリーキャリアは、他の端末のプライマリーキャリアに割り当てることもできる。
【００２１】
一般に、端末は、プライマリーキャリアを介して初期網進入（ｉｎｉｔｉａｌ  ｎｅｔｗｏｒｋ  ｅｎｔｒｙ）を行い、基地局との登録要請／応答（ＡＡＩ＿ＲＥＧ−ＲＥＱ／ＲＳＰ）メッセージ交換を介した登録過程で互いのマルチキャリア能力に対する情報を交換することができる。
【００２２】
上述したように、端末と基地局がいずれもマルチキャリアをサポートするシステムでは、ハンドオーバー（Ｈａｎｄｏｖｅｒ、ＨＯ）もマルチキャリアを介して行うことができる。ハンドオーバーは、端末が一つの基地局の無線インターフェースから他の基地局の無線インターフェースに移動することをいう。一般的なハンドオーバーでは、一つのキャリアを介して一つの基地局から他の基地局に無線インターフェースを変更するが、マルチキャリア環境でのハンドオーバーでは、まず、プライマリーキャリアを介してターゲット基地局の網再進入を行い、セカンダリーキャリアを活性化させる形態で無線インターフェースが変更される。
【００２３】
ところが、キャリアの個数又は設定情報（ｉ．ｅ．Ｆｒｅｑｕｅｎｃｙ  Ａｓｓｉｇｎｍｅｎｔ、Ｂａｎｄｗｉｄｔｈなど）は、ネットワークに属した各基地局別に異なり得る。また、同一の基地局の各キャリア間の設定情報も異なり、その結果、キャリア間のカバレッジ（ｃｏｖｅｒａｇｅ）も異なり得る。従って、端末が同一の位置で特定の基地局（例えば、サービング基地局）の各キャリアをスキャンするとしても、キャリア別に異なるスキャニング結果値を示す場合がある。すなわち、同一の位置で同一の基地局に該当する複数のキャリアをスキャンするとしても、各キャリア間の設定が異なる場合は、全てのキャリアに一律的に一般的なトリガー条件（ｔｒｉｇｇｅｒ  ｃｏｎｄｉｔｉｏｎ）を適用することは望ましくない。
【００２４】
一律的適用が行われると、端末は、不要なスキャニング／ハンドオーバートリガーによる各媒体接続制御メッセージ（ＭＡＣ  ｍｅｓｓａｇｅ）をサービング基地局と交換する現象が発生し、その結果、電力消耗や動作手順上のエラーが発生し得る。
【００２５】
例えば、端末が現在サービング基地局と３個の活性化されたキャリア（Ａｃｔｉｖｅ  ｃａｒｒｉｅｒ）を用いて交信する間、一つのキャリアに対するチャンネル状態の悪化によってスキャニングトリガー（ｓｃａｎｎｉｎｇ  ｔｒｉｇｇｅｒ）条件を満足する場合を仮定する。このとき、一律的にトリガー条件を適用すると、残りの二つの活性化されたキャリアのチャンネル状態が良好であるにもかかわらず、端末は、不要に基地局にスキャン報告（ＡＡＩ−ＳＣＮ−ＲＥＰ）メッセージを伝送するようになる。すなわち、まだハンドオーバーを行う必要がないにもかかわらず、一つのキャリアに対するチャンネル状態の問題によってスキャン報告メッセージを伝送するようになる。
【００２６】
これと同様に、一つの端末が複数のキャリアを共に使用するキャリア結合モード（Ｃａｒｒｉｅｒ  Ａｇｇｒｅｇａｔｉｏｎ  ｍｏｄｅ、以下、「ＣＡモード」と称する。）状況では、隣接基地局がサポートするキャリアの個数と、ＣＡモードで活性化されたキャリアの個数が異なる場合、端末がスキャン報告メッセージを基地局に伝送するトリガー条件が問題となる。
【発明の概要】
【発明が解決しようとする課題】
【００２７】
本発明は、前記のような一般的な技術の問題を解決するためになされたもので、本発明の目的は、より効率的にマルチキャリア動作を行う方法を提供することにある。
【００２８】
本発明の他の目的は、マルチキャリア環境のための新しいトリガーファンクションを定義することにある。
【００２９】
本発明の更に他の目的は、より効率的なマルチキャリア資源の管理が可能なトリガーファンクションによる条件及びその獲得／決定方法を定義することにある。
【００３０】
本発明で達成しようとする技術的課題は、以上で言及した各技術的課題に制限されず、言及していない更に他の技術的課題は、下記の記載から本発明の属する技術分野で通常の知識を有する者に明確に理解され得るだろう。
【課題を解決するための手段】
【００３１】
前記の技術的課題を達成するために、本発明の一実施例に係る多重キャリアをサポートする広帯域無線接続システムでキャリア結合モード（ｃａｒｒｉｅｒ  ａｇｇｒｅｇａｔｉｏｎ  ｍｏｄｅ）で動作する端末の動作方法は、サービング基地局で放送される第１の放送メッセージを介して隣接基地局のシステム情報及びキャリア結合モードに適用されるトリガーファンクション情報を獲得すること；前記の獲得したシステム情報を用いてマルチキャリアをサポートする隣接基地局の少なくとも一つのキャリアに対するチャンネル状態をスキャンすること；及び前記スキャンの結果が前記トリガーファンクション情報による条件を満足する場合、前記サービング基地局に第２のメッセージを伝送すること；を含むことができる。
【００３２】
このとき、前記トリガーファンクション情報による条件は、前記のスキャンした少なくとも一つのキャリアのうち一定値以上のチャンネル状態を有するキャリアの個数がＮ個以上である場合に満足されるものであり得る。
【００３３】
また、前記Ｎ値は、前記第１の放送メッセージに隣接基地局別に含ませたり、前記サービング基地局のマルチキャリア情報を含む第３の放送メッセージに含ませることができる。
【００３４】
また、前記Ｎ値は、前記端末の現在の活性キャリア（ａｃｔｉｖｅ  ｃａｒｒｉｅｒ）の個数であり得る。
【００３５】
併せて、前記第２のメッセージは、スキャン報告（ＡＡＩ−ＳＣＮ−ＲＳＰ）メッセージ及びハンドオーバー要請（ＡＡＩ−ＨＯ−ＲＥＱ）メッセージを含むことができる。
【００３６】
前記の技術的課題を達成するために、本発明の一実施例に係る多重キャリアをサポートする広帯域無線接続システムでマルチキャリアをサポートするサービング基地局がキャリア結合モード（ｃａｒｒｉｅｒ  ａｇｇｒｅｇａｔｉｏｎ  ｍｏｄｅ）で動作する端末の動作をサポートする方法は、少なくとも一つの隣接基地局のシステム情報及びキャリア結合モードに適用されるトリガーファンクション情報を含む第１の放送メッセージを放送すること；及び前記端末から前記少なくとも一つの隣接基地局がサポートする複数のキャリアに対するチャンネル状態情報を含む第２のメッセージを受信すること；を含むことができる。
【００３７】
このとき、前記端末は、前記少なくとも一つの隣接基地局のうち特定の基地局に対するスキャンを行い、前記特定の基地局がサポートする複数のキャリアのうち一定値以上のチャンネル状態を有するキャリアの個数がＮ個以上である場合、前記第２のメッセージを前記サービング基地局に伝送することが望ましい。
【００３８】
また、前記Ｎ値は、前記第１の放送メッセージに前記少なくとも一つの隣接基地局別に含ませたり、前記サービング基地局のマルチキャリア情報を含む第３の放送メッセージに含ませることができる。
【００３９】
また、前記Ｎ値は、前記端末の現在の活性キャリア（ａｃｔｉｖｅ  ｃａｒｒｉｅｒ）の個数であり得る。
【００４０】
併せて、前記第１の放送メッセージは隣接公示（ＡＡＩ−ＮＢＲ−ＡＤＶ）メッセージで、前記第２のメッセージはスキャン報告（ＡＡＩ−ＳＣＮ−ＲＳＰ）メッセージであり得る。
【００４１】
前記の技術的課題を達成するために、本発明の他の実施例に係る多重キャリアをサポートする広帯域無線接続システムでキャリア結合モード（ｃａｒｒｉｅｒ  ａｇｇｒｅｇａｔｉｏｎ  ｍｏｄｅ）で動作する端末装置は、プロセッサ；及び前記プロセッサの制御によって外部との間で無線信号を送受信するための無線通信（ＲＦ）モジュール；を含む。ここで、前記プロセッサは、サービング基地局で放送される第１の放送メッセージを介して隣接基地局のシステム情報及びキャリア結合モードに適用されるトリガーファンクション情報を獲得し、前記の獲得したシステム情報を用いてマルチキャリアをサポートする隣接基地局の少なくとも一つのキャリアに対するチャンネル状態をスキャンし、前記スキャンの結果が前記トリガーファンクション情報による条件を満足する場合、前記サービング基地局に第２のメッセージを伝送するように制御することができる。
【００４２】
このとき、前記プロセッサは、前記のスキャンした少なくとも一つのキャリアのうち一定値以上のチャンネル状態を有するキャリアの個数がＮ個以上である場合、前記トリガーファンクション情報による条件が満足されると判断することができる。
【００４３】
また、前記Ｎ値は、前記第１の放送メッセージに隣接基地局別に含ませたり、前記サービング基地局のマルチキャリア情報を含む第３の放送メッセージに含ませることができる。
【００４４】
また、前記Ｎ値は、前記端末装置の現在の活性キャリア（ａｃｔｉｖｅ  ｃａｒｒｉｅｒ）の個数であり得る。
【００４５】
併せて、前記第２のメッセージは、スキャン報告（ＡＡＩ−ＳＣＮ−ＲＳＰ）メッセージ及びハンドオーバー要請（ＡＡＩ−ＨＯ−ＲＥＱ）メッセージを含むことができる。
【発明の効果】
【００４６】
本発明の各実施例によると、次のような効果がある。
【００４７】
第一に、本発明の各実施例を用いることによって、より効率的なマルチキャリア動作を端末と基地局との間で行うことができる。
【００４８】
第二に、本発明の各実施例を通して、マルチキャリア環境のための新しいトリガーファンクションを定義することができる。
【００４９】
第三に、端末は、マルチキャリア環境のためのトリガーファンクションの条件情報を自分の活性キャリアの個数と判断したり、放送メッセージを介して獲得し、条件が満足されるときのみに該当のファンクションによるアクションを取るので、不要な無線資源の浪費を防止することができる。
【００５０】
本発明で得られる効果は、以上で言及した各効果に制限されず、言及していない更に他の効果は、下記の記載から本発明の属する技術分野で通常の知識を有する者に明確に理解され得るだろう。
【図面の簡単な説明】
【００５１】
【図１】（ａ）及び（ｂ）は、多重帯域無線周波数（ＲＦ：Ｒａｄｉｏ  Ｆｒｅｑｕｅｎｃｙ）基盤の信号送受信方法を説明するための図である。
【図２】一般的な無線通信システムで多重搬送波が用いられる形態の一例を示す図である。
【図３】本発明が適用される広帯域無線接続システムで基地局が端末に一つ以上のキャリアを割り当てる手順の一例を説明するための図である。
【図４】本発明の一実施例に係るマルチキャリア環境でのスキャン報告メッセージ伝送のトリガー手順の一例を示す図である。
【図５】本発明の他の実施例として、送信端及び受信端構造の一例を示すブロック図である。
【発明を実施するための形態】
【００５２】
本発明は、無線接続システムに関する。以下、本発明の各実施例は、マルチキャリア環境で端末が効率的にスキャン報告メッセージの伝送及び／又はハンドオーバーをトリガーするための条件を定義する。
【００５３】
以下の各実施例は、本発明の各構成要素と各特徴を所定の形態で結合したものである。各構成要素又は特徴は、別途の明示的な言及がない限り、選択的なものとして考慮することができる。各構成要素又は特徴は、他の構成要素や特徴と結合されない形態で実施することができる。また、一部の構成要素及び／又は各特徴を結合して本発明の実施例を構成することもできる。本発明の各実施例で説明する各動作の順序は変更可能である。一つの実施例の一部の構成や特徴は、他の実施例に含ませたり、又は、他の実施例の対応する構成又は特徴に取り替えることができる。
【００５４】
図面に対する説明において、本発明の要旨を不明確にし得る手順又は段階などは記述しておらず、当業者の水準で理解可能な程度の手順又は段階も記述していない。
【００５５】
本明細書における本発明の各実施例は、基地局と端末との間のデータ送受信関係を中心に説明した。ここで、基地局は、端末と直接的に通信を行うネットワークの終端ノード（ｔｅｒｍｉｎａｌ  ｎｏｄｅ）としての意味を有する。本文書で基地局によって行われると説明した特定の動作は、場合によっては基地局の上位ノード（ｕｐｐｅｒ  ｎｏｄｅ）によって行うこともできる。
【００５６】
すなわち、基地局を含む多数のネットワークノードからなるネットワークで端末との通信のために行われる多様な動作は、基地局又は基地局以外の他のネットワークノードによって行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント又はＡＢＳ（Ａｄｖａｎｃｅｄ  Ｂａｓｅ  Ｓｔａｔｉｏｎ）などの用語に取り替えることができる。また、「移動端末（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）又は端末（Ｍｏｂｉｌｅ  Ｔｅｒｍｉｎａｌ）などの用語に取り替えることができる。
【００５７】
また、送信端は、データ又は音声サービスを伝送するノードを意味し、受信端は、データ又は音声サービスを受信するノードを意味する。従って、アップリンクでは、端末が送信端になり、基地局が受信端になり得る。同様に、ダウンリンクでは、端末が受信端になり、基地局が送信端になり得る。
【００５８】
一方、本発明の移動端末としては、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００５９】
本発明の各実施例は多様な手段を通して具現することができる。例えば、本発明の各実施例は、ハードウェア、ファームウェア、ソフトウェア又はそれらの結合などによって具現することができる。
【００６０】
ハードウェアによる具現の場合、本発明の各実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００６１】
ファームウェアやソフトウェアによる具現の場合、本発明の各実施例に係る方法は、以上説明した機能又は各動作を行うモジュール、手順又は関数などの形態で具現することができる。ソフトウェアコードは、メモリユニットに格納してプロセッサによって駆動することができる。前記メモリユニットは、前記プロセッサの内部又は外部に位置し、既に公知の多様な手段によって前記プロセッサとデータを取り交わすことができる。
【００６２】
本発明の各実施例は、無線接続システムであるＩＥＥＥ  ８０２システム、３ＧＰＰシステム、３ＧＰＰ  ＬＴＥシステム及び３ＧＰＰ２システムのうち少なくとも一つに開示された各標準文書によって裏付けることができる。すなわち、本発明の各実施例のうち本発明の技術的思想を明確に示すために説明していない各段階又は各部分は、前記各文書によって裏付けることができる。また、本文書で開示している全ての用語は、前記標準文書によって説明することができる。特に、本発明の各実施例は、ＩＥＥＥ  ８０２．１６システムの標準文書であるＰ８０２．１６−２００４、Ｐ８０２．１６ｅ−２００５、Ｐ８０２．１６Ｒｅｖ２及びＰ８０２．１６ｍ文書のうち一つ以上によって裏付けることができる。
【００６３】
以下の説明で使用される特定用語は、本発明の理解を促進するために提供されたものであって、このような特定用語の使用は、本発明の技術的思想を逸脱しない範囲で他の形態に変更することができる。
【００６４】
本明細書では、ＩＥＥＥ  ８０２．１６システムの場合を仮定して説明する。特に、以下で登場する端末は、ＩＥＥＥ  ８０２．１６ｍ標準で定義する規格を満足するＡＭＳ（Ａｄｖａｎｃｅｄ  Ｍｏｂｉｌｅ  Ｓｔａｔｉｏｎ）であると仮定し、基地局は、同一標準規格のＡＢＳ（Ａｄｖａｎｃｅｄ  Ｂａｓｅ  Ｓｔａｔｉｏｎ）であると仮定する。
【００６５】
まず、マルチキャリア動作で使用可能な用語を定義する。
【００６６】
１．可用キャリア（Ａｖａｉｌａｂｌｅ  ｃａｒｒｉｅｒ）は、基地局（ＡＢＳ）に属する全てのキャリアを意味する。端末は、可用キャリアに対する情報をグローバルキャリア設定（ＡＡＩ＿Ｇｌｏｂａｌ−ｃｏｎｆｉｇ）メッセージ又はマルチキャリア公示（ＡＡＩ＿ＭＣ−ＡＤＶ）メッセージを介して獲得することができる。
【００６７】
２．割り当てキャリア（Ａｓｓｉｇｎｅｄ  ｃａｒｒｉｅｒ）は、端末の能力（ｃａｐａｂｉｌｉｔｙ）によって基地局が端末に割り当てる可用キャリアのサブセット（ｓｕｂｓｅｔ）を意味する。すなわち、基地局は、端末の能力を考慮して、自分の可用キャリアのうち一つ以上を端末の割り当てセカンダリーキャリア（Ａｓｓｉｇｎｅｄ  ｓｅｃｏｎｄａｒｙ  ｃａｒｒｉｅｒ）に割り当てることができる。
【００６８】
３．活性キャリア（Ａｃｔｉｖｅ  ｃａｒｒｉｅｒ）は、端末と基地局との間に実際にデータを交換するように準備されたキャリアを意味し、割り当てキャリアのサブセットであり得る。割り当てセカンダリーキャリアの活性化／非活性化（ａｃｔｉｖａｔｉｏｎ／ｄｅａｃｔｉｖａｔｉｏｎ）は、サービス品質（ＱｏＳ）要求を基盤にした基地局の判断によって決定することができる。基地局は、特定のセカンダリーキャリアに対する活性化／非活性化の可否を端末にキャリア管理命令（ＡＡＩ＿ＣＭ−ＣＭＤ）メッセージを介して指示することができる。
【００６９】
上述した定義に基づいて、以下では、網進入手順から基地局が端末にキャリアを割り当てる手順について図３を参照して説明する。
【００７０】
図３は、本発明が適用される広帯域無線接続システムで基地局が端末に一つ以上のキャリアを割り当てる手順の一例を説明するための図である。
【００７１】
図３を参照すると、端末（ＡＭＳ）は、基地局（ＡＢＳ）とスキャニング、レンジングなどの過程を含む初期接続手順（ｉｎｉｔｉａｌ  ｎｅｔｗｏｒｋ  ｅｎｔｒｙ）を行う（Ｓ３０１）。
【００７２】
端末と基地局は、登録要請／応答（ＡＡＩ＿ＲＥＧ−ＲＥＱ／ＲＳＰ）メッセージを介して相互間のマルチキャリア能力（Ｍｕｌｔｉｃａｒｒｉｅｒ  Ｃａｐａｂｉｌｉｔｉｅｓ）に対する情報を交換することができる（Ｓ３０２、Ｓ３０３）。
【００７３】
基地局は、端末にＡＡＩ＿ＲＥＧ−ＲＳＰメッセージを伝送した後、グローバルキャリア設定（ＡＡＩ＿Ｇｌｏｂａｌ−ＣＦＧ）メッセージを伝送することができる（Ｓ３０４）。
【００７４】
グローバルキャリア設定メッセージには、ネットワークでサポートする全ての可用キャリアに対する情報が含まれる。
【００７５】
また、端末は、基地局から周期的に放送されるマルチキャリア公示（ＡＡＩ＿ＭＣ−ＡＤＶ）メッセージを受信し、基地局のマルチキャリア設定に関する情報を獲得することができる（Ｓ３０５）。
【００７６】
以後、端末は、獲得した情報を用いて基地局の可用キャリアのマルチキャリア設定（ｍｕｌｔｉｃａｒｒｉｅｒ  ｃｏｎｆｉｇｕｒａｔｉｏｎｓ）によって自分がサポートできる各キャリア（ＡＭＳ’ｓ  ｓｕｐｐｏｒｔａｂｌｅ  ｃａｒｒｉｅｒｓ）に対する情報をマルチキャリア要請（ＡＡＩ＿ＭＣ−ＲＥＱ）メッセージを介して基地局に知らせる方法で割り当てキャリアのリストを基地局に要請することができる（Ｓ３０６）。
【００７７】
基地局は、端末から受信した情報に基づいて自分の可用キャリアから端末のセカンダリーキャリアに割り当てられるサブセットを決定して割り当てキャリアリストを決定し、これをマルチキャリア応答（ＡＡＩ＿ＭＣ−ＲＳＰ）メッセージを介して端末に知らせることができる（Ｓ３０７）。
【００７８】
以後、基地局は、サービス品質（ＱｏＳ）要求を基盤にした判断に従って端末に割り当てた割り当てキャリアの活性化／非活性化の可否をキャリア管理命令（ＡＡＩ＿ＣＭ−ＣＭＤ）メッセージを介して端末に指示することができる（Ｓ３０８）。
【００７９】
トリガー条件
本発明の一実施例では、図３を参照して説明した過程又はこれと類似する過程を通して端末に複数のキャリアが割り当てられ、そのうち少なくとも一部が活性化された状態で端末がスキャン報告メッセージをサービング基地局に伝送したり、ハンドオーバーをトリガーするための条件を提案する。
【００８０】
上述したように、マルチキャリア環境では、端末に複数のキャリアを割り当てることができる。従って、本実施例では、端末に基地局別にいくつかのキャリアに対するトリガー条件（ｔｒｉｇｇｅｒ  ｃｏｎｄｉｔｉｏｎ）が満足された場合に特定の動作（ＡＡＩ−ＳＣＮ−ＲＥＰメッセージ伝送など）を取るように知らせることを提案する。すなわち、いずれか一つのキャリアのみがトリガー条件を満足すると定義されたトリガー動作（ｔｒｉｇｇｅｒ  ａｃｔｉｏｎ）を行うのではなく、基地局別に定められたＮ個のキャリアが全てトリガー条件を満足した場合のみに関連したトリガー動作を行うようにすることを提案する。本明細書では、このようなトリガー条件を基地局特定トリガー条件（ＡＢＳ  ｓｐｅｃｉｆｉｃ  ｔｒｉｇｇｅｒ  ｃｏｎｄｉｔｉｏｎ）と称し、このようなトリガーを基地局特定マルチキャリアトリガー（ＡＢＳ−ｓｐｅｃｉｆｉｃ  ＭＣ  ｔｒｉｇｇｅｒ）と称する。
【００８１】
これは、隣接基地局でカバレッジの広いキャリアにキャリアインデックス０が与えられる場合（すなわち、最も速いインデックス）、端末は、速い一つのインデックスのみがトリガー条件を満足すると、スキャン報告メッセージをサービング基地局に伝送したり、ハンドオーバーをトリガーする可能性があるためである。このような条件下でハンドオーバーをトリガーすると、現在の端末の位置で隣接基地局のキャリアインデックス０に該当するキャリアより相対的にカバレッジの狭いキャリアインデックス１及び２に該当する各キャリアのチャンネル状態が悪い場合がある。従って、端末は、再び以前のサービング基地局にハンドオーバーをトリガーすることから、不要な無線資源が浪費され、遅延時間が発生し得る。
【００８２】
さらに、本実施例の他の様相によると、端末の活性キャリアの個数を基盤にしてトリガー条件を決定することもできる。すなわち、基地局が端末にトリガー条件でＮ個のキャリアを明示的に知らせるのではなく、端末の現在の活性キャリアの個数でトリガー条件を判断することができる。本明細書では、このようなトリガー条件を端末特定トリガー条件（ＡＭＳ  ｓｐｅｃｉｆｉｃ  ｔｒｉｇｇｅｒ  ｃｏｎｄｉｔｉｏｎ）と称し、このようなトリガーを端末特定マルチキャリアトリガー（ＡＭＳ−ｓｐｅｃｉｆｉｃ  ＭＣ  ｔｒｉｇｇｅｒ）と称する。
【００８３】
まず、基地局特定トリガー条件が適用される場合、サービング基地局は、各端末に放送メッセージを介して基地局特定のキャリア個数Ｎを知らせることができる。
【００８４】
このとき、基地局特定のキャリア個数Ｎが隣接基地局に共通的に適用される場合、マルチキャリア公示メッセージに下記の表１のように含ませることができる。
【００８５】
表１は、本発明の一実施例に係る基地局特定マルチキャリアトリガー（ＡＢＳ−ｓｐｅｃｉｆｉｃ  ＭＣ  ｔｒｉｇｇｅｒ）が適用されるとき、キャリア個数情報がマルチキャリア公示メッセージに含まれる形態の一例を示す。
【００８６】
【表１】
2013543671.tif 000003
【００８７】
表１では、１ビット情報を通して隣接基地局キャリア２個又は３個に対するチャンネル状態が全て予め設定された基準を満足するときのみにトリガー動作を行うようにフィールドが構成される。勿論、キャリア個数Ｎを指示するビット数を２以上に変更し、より多くのキャリアを指示することもできる。
【００８８】
一方、基地局特定トリガー条件であるキャリア個数Ｎが隣接基地局ごとに異なる場合、キャリア個数Ｎに対する情報は、隣接公示（ＡＡＩ−ＮＢＲ−ＡＤＶ）メッセージに下記の表２のように含ませることができる。
【００８９】
表２は、本発明の一実施例に係る基地局特定マルチキャリアトリガー（ＡＢＳ−ｓｐｅｃｉｆｉｃ  ＭＣ  ｔｒｉｇｇｅｒ）が適用されるとき、キャリア個数情報が隣接公示メッセージに含まれる形態の一例を示す。
【００９０】
【表２】
2013543671.tif 000004
【００９１】
表２を参照すると、キャリア個数情報（Ｃａｒｒｉｅｒ＿Ｎｕｍｂｅｒ＿Ｎ）を隣接公示メッセージに隣接基地局別に２ビット情報として含ませることができる。
【００９２】
表１及び表２を通して例示された基地局特定マルチキャリアトリガー（ＡＢＳ−ｓｐｅｃｉｆｉｃ  ＭＣ  ｔｒｉｇｇｅｒ）が適用される場合のキャリア個数情報は、サービング基地局の周辺にマルチキャリアをサポートする基地局が存在する場合や、特定のトリガーファンクション（例えば、後述するｔｒｉｇｇｅｒ  ｆｕｎｃｔｉｏｎ  ０ｘ７）が適用される場合のみに各放送メッセージに含ませることもできる。
【００９３】
表２において、トリガーファンクション０ｘ７は、本発明で新しく提案するトリガーファンクションであって、マルチキャリア環境で適用されるトリガーファンクションを意味し、これについては後で詳細に説明する。
【００９４】
その一方、マルチキャリアをサポートする隣接基地局がサービング基地局の周辺に存在するとしても、表１及び表２に例示したキャリア個数情報が端末にシグナリングされない場合は、端末特定マルチキャリアトリガー（ＡＭＳ−ｓｐｅｃｉｆｉｃ  ＭＣ  ｔｒｉｇｇｅｒ）を適用することができる。すなわち、ＡＡＩ−ＮＢＲ−ＡＤＶメッセージやＡＡＩ−ＭＣ−ＡＤＶメッセージにキャリア個数情報が含まれない場合、端末の現在の活性キャリアの個数がトリガー条件になり得る。
【００９５】
一方、放送メッセージを介して端末にトリガー条件でキャリア個数がシグナリングされる場合は、シグナリングされるキャリア個数（Ｃａｒｒｉｅｒ＿Ｎｕｍｂｅｒ＿Ｎ）が現在の端末の活性キャリア個数と関係なく適用されるのではなく、端末が二つの変数のうち小さいものを使用してトリガーファンクションを適用するようにすることができる。例えば、ＡＡＩ−ＭＣ−ＡＤＶメッセージを介してシグナリングされたキャリア個数Ｎ値が３で、端末の現在の活性キャリア個数が２である場合、端末は、トリガーファンクション０ｘ７に該当するトリガー条件でキャリア個数を二つのうち小さい２個に設定するようになる。その一方、活性キャリア個数が３個で、シグナリングされたＣａｒｒｉｅｒ＿Ｎｕｍｂｅｒ＿Ｎ値が２である場合、端末は、トリガーファンクション０ｘ７に該当するトリガー条件でキャリア個数２を使用するようになる。従って、この場合、端末は、隣接基地局のキャリア２個に対するチャンネル状態が一定値以上であると、基地局にスキャン報告メッセージを伝送するようになる。
【００９６】
以下では、表３を参照してトリガーファンクション０ｘ７について説明する。表３は、本発明に係るトリガータイプ、ファンクション及びトリガーアクションの定義の一例を示す。表３のような情報は、隣接公示メッセージのタイプ／ファンクション／アクション（Ｔｙｐｅ／Ｆｕｎｃｔｉｏｎ／Ａｃｔｉｏｎ）フィールドに含ませることができる。
【００９７】
【表３】
2013543671.tif 000005
【００９８】
表３を参照すると、トリガーファンクションとして０ｘ７が新しく定義される。トリガーファンクション０ｘ７は、マルチキャリア環境のみで適用されるトリガーファンクションであって、マルチキャリアをサポートする隣接基地局の各キャリアのうちＮ個のキャリアの信号品質（例えば、ＣＩＮＲ／ＲＳＳＩ値）が一定値以上である場合、端末は、特定のトリガーアクションを行うようになる。表３では、トリガーアクション０ｘ１（スキャン報告メッセージ伝送）及び／又は０ｘ２（ハンドオーバートリガー）を行うように設定された。
【００９９】
Ｎ値は、上述したように、端末特定である場合、端末の活性キャリア個数になり、基地局特定である場合、放送メッセージを介して端末にシグナリングすることができる。また、端末の活性キャリア個数と放送メッセージを介してシグナリングされるキャリア個数が全て考慮される場合は、二つのうち小さい数を選ぶとよい。
【０１００】
以下では、上述したスキャン報告及び／又はハンドオーバートリガー手順を図４を参照して説明する。
【０１０１】
図４は、本発明の一実施例に係るマルチキャリア環境でのスキャン報告メッセージ伝送のトリガー手順の一例を示す。
【０１０２】
図４では、基地局特定マルチキャリアトリガー（ＡＢＳ−ｓｐｅｃｉｆｉｃ  ＭＣ  ｔｒｉｇｇｅｒ）が適用され、ＣＡモードを通してサービング基地局と通信を行う場合を仮定する。
【０１０３】
図４を参照すると、端末は、サービング基地局から隣接公示メッセージ及びマルチキャリア公示メッセージを受信し、隣接基地局のシステム情報及びサービング基地局のマルチキャリア設定情報を獲得することができる（Ｓ４０１、Ｓ４０２）。
【０１０４】
このとき、隣接公示メッセージ又はマルチキャリア公示メッセージを介して、端末は、基地局特定マルチキャリアトリガー（ＡＢＳ−ｓｐｅｃｉｆｉｃ  ＭＣ  ｔｒｉｇｇｅｒ）によるトリガーファンクション０ｘ７に対するキャリア個数Ｎに関する情報を獲得することができる。
【０１０５】
以後、端末は、獲得した情報を用いて隣接基地局の各キャリアに対するスキャニングを行う（Ｓ４０３）。このとき、端末は、スキャニング要請メッセージをサービング基地局に伝送し、スキャニング区間の割り当てを受けてスキャニングを行うこともでき、遊休モードや睡眠モードの特定区間を用いてスキャニングを行うこともできる。
【０１０６】
端末は、スキャニングの結果によってトリガーファンクション０ｘ７の条件を満足するかどうか、すなわち、一定の信号品質以上である隣接基地局のキャリアの個数がＮ個以上であるかどうかを判断する（Ｓ４０４）。
【０１０７】
判断の結果、条件が満足されると、端末は、トリガーファンクション０ｘ７の満足時に定義されるトリガーアクションで、前記スキャンの結果を含むスキャン報告メッセージをサービング基地局に伝送することができる（Ｓ４０５）。このとき、ファンクション０ｘ７に対するアクションとしてハンドオーバートリガーが含まれる場合、端末は、ハンドオーバー要請（ＡＡＩ−ＨＯ−ＲＥＱ）メッセージをサービング基地局に伝送することもできる。
【０１０８】
以上説明したように、本発明は、トリガーファンクション０ｘ７を定義し、それに適用されるキャリア個数Ｎを放送メッセージを介して知らせたり、端末の活性キャリアを適用するようにし、不要なスキャン報告メッセージの伝送を防止することができ、マルチキャリア環境でより効率的にスキャニング及びハンドオーバートリガー条件を定義することができる。
【０１０９】
端末及び基地局の構造
以下、本発明の他の実施例として、上述した本発明の各実施例を行える端末及び基地局（ＦＢＳ、ＭＢＳ）を説明する。
【０１１０】
端末は、アップリンクでは送信機として動作し、ダウンリンクでは受信機として動作することができる。また、基地局は、アップリンクでは受信機として動作し、ダウンリンクでは送信機として動作することができる。すなわち、端末及び基地局は、情報又はデータの伝送のために送信機及び受信機を含むことができる。
【０１１１】
送信機及び受信機は、本発明の各実施例を行うためのプロセッサ、モジュール、部分及び／又は手段などを含むことができる。特に、送信機及び受信機は、メッセージを暗号化するためのモジュール（手段）、暗号化されたメッセージを解釈するためのモジュール、メッセージを送受信するためのアンテナなどを含むことができる。このような送信端と受信端の一例を図５を参照して説明する。
【０１１２】
図５は、本発明の他の実施例として、送信端及び受信端の構造の一例を示すブロック図である。
【０１１３】
図５を参照すると、左側は送信端の構造を示し、右側は受信端の構造を示す。送信端と受信端のそれぞれは、アンテナ５、１０、プロセッサ２０、３０、伝送モジュール（Ｔｘ  ｍｏｄｕｌｅ）４０、５０、受信モジュール（Ｒｘ  ｍｏｄｕｌｅ）６０、７０及びメモリ８０、９０を含むことができる。各構成要素は、互いに対応する機能を行うことができる。以下、各構成要素をより詳細に説明する。
【０１１４】
アンテナ５、１０は、伝送モジュール４０、５０で生成された信号を外部に伝送したり、外部から無線信号を受信して受信モジュール６０、７０に伝達する機能を行う。多重アンテナ（ＭＩＭＯ）機能がサポートされる場合は２個以上を備えることができる。
【０１１５】
アンテナ、伝送モジュール及び受信モジュールは、共に無線通信（ＲＦ）モジュールを構成することができる。
【０１１６】
プロセッサ２０、３０は、通常、移動端末機全体の全般的な動作を制御する。例えば、上述した本発明の各実施例を行うためのコントローラ機能、サービス特性及び電波環境によるＭＡＣ（Ｍｅｄｉｕｍ  Ａｃｃｅｓｓ  Ｃｏｎｔｒｏｌ）フレーム可変制御機能、ハンドオーバー（Ｈａｎｄ  Ｏｖｅｒ）機能、認証及び暗号化機能などを行うことができる。より具体的に、プロセッサ２０、３０は、図３〜図５に示したキャリア設定情報獲得／更新／ハンドオーバー手順を行うための全般的な制御を行うことができる。
【０１１７】
特に、移動端末機のプロセッサは、マルチキャリア環境でトリガーファンクション０ｘ７のトリガー条件の満足可否を判断する条件になる隣接基地局のキャリア個数に関する情報を放送メッセージを介して獲得したり、自分の活性キャリア個数で類推することができる。トリガー条件が満足されると、移動端末機のプロセッサは、トリガーアクションに定義された動作を行うことができる。
【０１１８】
その他にも、端末のプロセッサは、上述した各実施例に開示された動作過程の全般的な制御動作を行うことができる。
【０１１９】
伝送モジュール４０、５０は、プロセッサ２０、３０からスケジューリングされて外部に伝送されるデータに対して所定の符号化及び変調を行った後、これをアンテナ１０に伝達することができる。
【０１２０】
受信モジュール６０、７０は、外部でアンテナ５、１０を介して受信された無線信号に対する復号及び復調を行い、これを原本データの形態に復元してプロセッサ２０、３０に伝達することができる。
【０１２１】
メモリ８０、９０は、プロセッサ２０、３０の処理及び制御のためのプログラムを格納することもでき、入出力される各データの臨時格納のための機能を行うこともできる。また、メモリ８０、９０は、フラッシュメモリタイプ、ハードディスクタイプ、マルチメディアカードマイクロタイプ、カードタイプのメモリ（例えば、ＳＤ又はＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも一つのタイプの格納媒体を含むことができる。
【０１２２】
一方、基地局は、上述した本発明の各実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャンネル多重化機能、サービス特性及び電波環境によるＭＡＣフレーム可変制御機能、高速トラフィック実時間制御機能、ハンドオーバー機能、認証及び暗号化機能、データ伝送のためのパケット変復調機能、高速パケットチャンネルコーディング機能及び実時間モデム制御機能などを上述したモジュールのうち少なくとも一つを通して行ったり、このような機能を行うための別途の手段、モジュール又は部分などをさらに含むことができる。
【０１２３】
本発明は、本発明の精神及び必須的特徴を逸脱しない範囲で他の特定の形態で具体化することができる。従って、前記の詳細な説明は、全ての面で制限的に解釈してはならなく、例示的なものとして考慮しなければならない。本発明の範囲は、添付の請求項の合理的な解釈によって決定しなければならなく、本発明の等価的範囲内での全ての変更は本発明の範囲に含まれる。また、特許請求の範囲で明示的な引用関係のない各請求項を結合して実施例を構成したり、出願後の補正によって新しい請求項を含ませることができる。
【産業上の利用可能性】
【０１２４】
以上では、広帯域無線接続システムにおけるより効率的なマルチキャリアスキャニング／ハンドオーバートリガー手順及びこのための端末構造がＩＥＥＥ  ８０２．１６ｍシステムに適用される例を中心に説明したが、ＩＥＥＥ  ８０２．ｘｘシステムの他に、３ＧＰＰ／３ＧＰＰ２などの他の多様な移動通信システムにも適用可能である。
【図１】
2013543671.tif 000006
【図２】
2013543671.tif 000007
【図３】
2013543671.tif 000008
【図４】
2013543671.tif 000009
【図５】
2013543671.tif 000010
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
多重キャリアをサポートする広帯域無線接続システムでキャリア結合モード（ｃａｒｒｉｅｒ  ａｇｇｒｅｇａｔｉｏｎ  ｍｏｄｅ）で動作する端末の動作方法において、
サービング基地局で放送される第１の放送メッセージを介して隣接基地局のシステム情報及びキャリア結合モードに適用されるトリガーファンクション情報を獲得すること；
前記の獲得したシステム情報を用いてマルチキャリアをサポートする隣接基地局の少なくとも一つのキャリアに対するチャンネル状態をスキャンすること；及び
前記スキャンの結果が前記トリガーファンクション情報による条件を満足する場合、前記サービング基地局に第２のメッセージを伝送すること；を含む、端末の動作方法。
【請求項２】
前記トリガーファンクション情報による条件は、前記のスキャンした少なくとも一つのキャリアのうち一定値以上のチャンネル状態を有するキャリアの個数がＮ個以上である場合に満足されることを特徴とする、請求項１に記載の端末の動作方法。
【請求項３】
前記Ｎ値は、前記第１の放送メッセージに隣接基地局別に含まれたり、前記サービング基地局のマルチキャリア情報を含む第３の放送メッセージに含まれることを特徴とする、請求項２に記載の端末の動作方法。
【請求項４】
前記Ｎ値は、前記端末の現在の活性キャリア（ａｃｔｉｖｅ  ｃａｒｒｉｅｒ）の個数であることを特徴とする、請求項２に記載の端末の動作方法。
【請求項５】
前記第２のメッセージは、スキャン報告（ＡＡＩ−ＳＣＮ−ＲＥＰ）メッセージ及びハンドオーバー要請（ＡＡＩ−ＨＯ−ＲＥＱ）メッセージを含む、請求項２に記載の端末の動作方法。
【請求項６】
多重キャリアをサポートする広帯域無線接続システムでマルチキャリアをサポートするサービング基地局がキャリア結合モード（ｃａｒｒｉｅｒ  ａｇｇｒｅｇａｔｉｏｎ  ｍｏｄｅ）で動作する端末の動作をサポートする方法において、
少なくとも一つの隣接基地局のシステム情報及びキャリア結合モードに適用されるトリガーファンクション情報を含む第１の放送メッセージを放送すること；及び
前記端末から前記少なくとも一つの隣接基地局がサポートする複数のキャリアに対するチャンネル状態情報を含む第２のメッセージを受信すること；を含む、端末サポート方法。
【請求項７】
前記端末は、前記少なくとも一つの隣接基地局のうち特定の基地局に対するスキャンを行い、前記特定の基地局がサポートする複数のキャリアのうち一定値以上のチャンネル状態を有するキャリアの個数がＮ個以上である場合、前記第２のメッセージを前記サービング基地局に伝送することを特徴とする、請求項６に記載の端末サポート方法。
【請求項８】
前記Ｎ値は、前記第１の放送メッセージに前記少なくとも一つの隣接基地局別に含まれたり、前記サービング基地局のマルチキャリア情報を含む第３の放送メッセージに含まれることを特徴とする、請求項７に記載の端末サポート方法。
【請求項９】
前記Ｎ値は、前記端末の現在の活性キャリア（ａｃｔｉｖｅ  ｃａｒｒｉｅｒ）の個数であることを特徴とする、請求項７に記載の端末サポート方法。
【請求項１０】
前記第１の放送メッセージは隣接公示（ＡＡＩ−ＮＢＲ−ＡＤＶ）メッセージで、前記第２のメッセージはスキャン報告（ＡＡＩ−ＳＣＮ−ＲＥＰ）メッセージであることを特徴とする、請求項６に記載の端末サポート方法。
【請求項１１】
多重キャリアをサポートする広帯域無線接続システムでキャリア結合モード（ｃａｒｒｉｅｒ  ａｇｇｒｅｇａｔｉｏｎ  ｍｏｄｅ）で動作する端末装置において、
プロセッサ；及び
前記プロセッサの制御によって外部との間で無線信号を送受信するための無線通信（ＲＦ）モジュール；を含み、
前記プロセッサは、サービング基地局で放送される第１の放送メッセージを介して隣接基地局のシステム情報及びキャリア結合モードに適用されるトリガーファンクション情報を獲得し、前記の獲得したシステム情報を用いてマルチキャリアをサポートする隣接基地局の少なくとも一つのキャリアに対するチャンネル状態をスキャンし、前記スキャンの結果が前記トリガーファンクション情報による条件を満足する場合、前記サービング基地局に第２のメッセージを伝送するように制御することを特徴とする端末装置。
【請求項１２】
前記プロセッサは、前記のスキャンした少なくとも一つのキャリアのうち一定値以上のチャンネル状態を有するキャリアの個数がＮ個以上である場合、前記トリガーファンクション情報による条件が満足されると判断することを特徴とする、請求項１１に記載の端末装置。
【請求項１３】
前記Ｎ値は、前記第１の放送メッセージに隣接基地局別に含まれたり、前記サービング基地局のマルチキャリア情報を含む第３の放送メッセージに含まれることを特徴とする、請求項１２に記載の端末装置。
【請求項１４】
前記Ｎ値は、前記端末装置の現在の活性キャリア（ａｃｔｉｖｅ  ｃａｒｒｉｅｒ）の個数であることを特徴とする、請求項１２に記載の端末装置。
【請求項１５】
前記第２のメッセージは、スキャン報告（ＡＡＩ−ＳＣＮ−ＲＥＰ）メッセージ及びハンドオーバー要請（ＡＡＩ−ＨＯ−ＲＥＱ）メッセージを含む、請求項１２に記載の端末装置。
【手続補正２】
【補正対象書類名】明細書
【補正対象項目名】００３５
【補正方法】変更
【補正の内容】
【００３５】
併せて、前記第２のメッセージは、スキャン報告（ＡＡＩ−ＳＣＮ−ＲＳＰ）メッセージ及びハンドオーバー要請（ＡＡＩ−ＨＯ−ＲＥＱ）メッセージを含むことができる。
例えば、本発明は以下の項目を提供する。
（項目１）
多重キャリアをサポートする広帯域無線接続システムでキャリア結合モード（ｃａｒｒｉｅｒ  ａｇｇｒｅｇａｔｉｏｎ  ｍｏｄｅ）で動作する端末の動作方法において、
サービング基地局で放送される第１の放送メッセージを介して隣接基地局のシステム情報及びキャリア結合モードに適用されるトリガーファンクション情報を獲得すること；
前記の獲得したシステム情報を用いてマルチキャリアをサポートする隣接基地局の少なくとも一つのキャリアに対するチャンネル状態をスキャンすること；及び
前記スキャンの結果が前記トリガーファンクション情報による条件を満足する場合、前記サービング基地局に第２のメッセージを伝送すること；を含む、端末の動作方法。
（項目２）
前記トリガーファンクション情報による条件は、前記のスキャンした少なくとも一つのキャリアのうち一定値以上のチャンネル状態を有するキャリアの個数がＮ個以上である場合に満足されることを特徴とする、項目１に記載の端末の動作方法。
（項目３）
前記Ｎ値は、前記第１の放送メッセージに隣接基地局別に含まれたり、前記サービング基地局のマルチキャリア情報を含む第３の放送メッセージに含まれることを特徴とする、項目２に記載の端末の動作方法。
（項目４）
前記Ｎ値は、前記端末の現在の活性キャリア（ａｃｔｉｖｅ  ｃａｒｒｉｅｒ）の個数であることを特徴とする、項目２に記載の端末の動作方法。
（項目５）
前記第２のメッセージは、スキャン報告（ＡＡＩ−ＳＣＮ−ＲＳＰ）メッセージ及びハンドオーバー要請（ＡＡＩ−ＨＯ−ＲＥＱ）メッセージを含む、項目２に記載の端末の動作方法。
（項目６）
多重キャリアをサポートする広帯域無線接続システムでマルチキャリアをサポートするサービング基地局がキャリア結合モード（ｃａｒｒｉｅｒ  ａｇｇｒｅｇａｔｉｏｎ  ｍｏｄｅ）で動作する端末の動作をサポートする方法において、
少なくとも一つの隣接基地局のシステム情報及びキャリア結合モードに適用されるトリガーファンクション情報を含む第１の放送メッセージを放送すること；及び
前記端末から前記少なくとも一つの隣接基地局がサポートする複数のキャリアに対するチャンネル状態情報を含む第２のメッセージを受信すること；を含む、端末サポート方法。
（項目７）
前記端末は、前記少なくとも一つの隣接基地局のうち特定の基地局に対するスキャンを行い、前記特定の基地局がサポートする複数のキャリアのうち一定値以上のチャンネル状態を有するキャリアの個数がＮ個以上である場合、前記第２のメッセージを前記サービング基地局に伝送することを特徴とする、項目６に記載の端末サポート方法。
（項目８）
前記Ｎ値は、前記第１の放送メッセージに前記少なくとも一つの隣接基地局別に含まれたり、前記サービング基地局のマルチキャリア情報を含む第３の放送メッセージに含まれることを特徴とする、項目７に記載の端末サポート方法。
（項目９）
前記Ｎ値は、前記端末の現在の活性キャリア（ａｃｔｉｖｅ  ｃａｒｒｉｅｒ）の個数であることを特徴とする、項目７に記載の端末サポート方法。
（項目１０）
前記第１の放送メッセージは隣接公示（ＡＡＩ−ＮＢＲ−ＡＤＶ）メッセージで、前記第２のメッセージはスキャン報告（ＡＡＩ−ＳＣＮ−ＲＳＰ）メッセージであることを特徴とする、項目６に記載の端末サポート方法。
（項目１１）
多重キャリアをサポートする広帯域無線接続システムでキャリア結合モード（ｃａｒｒｉｅｒ  ａｇｇｒｅｇａｔｉｏｎ  ｍｏｄｅ）で動作する端末装置において、
プロセッサ；及び
前記プロセッサの制御によって外部との間で無線信号を送受信するための無線通信（ＲＦ）モジュール；を含み、
前記プロセッサは、サービング基地局で放送される第１の放送メッセージを介して隣接基地局のシステム情報及びキャリア結合モードに適用されるトリガーファンクション情報を獲得し、前記の獲得したシステム情報を用いてマルチキャリアをサポートする隣接基地局の少なくとも一つのキャリアに対するチャンネル状態をスキャンし、前記スキャンの結果が前記トリガーファンクション情報による条件を満足する場合、前記サービング基地局に第２のメッセージを伝送するように制御することを特徴とする端末装置。
（項目１２）
前記プロセッサは、前記のスキャンした少なくとも一つのキャリアのうち一定値以上のチャンネル状態を有するキャリアの個数がＮ個以上である場合、前記トリガーファンクション情報による条件が満足されると判断することを特徴とする、項目１１に記載の端末装置。
（項目１３）
前記Ｎ値は、前記第１の放送メッセージに隣接基地局別に含まれたり、前記サービング基地局のマルチキャリア情報を含む第３の放送メッセージに含まれることを特徴とする、項目１２に記載の端末装置。
（項目１４）
前記Ｎ値は、前記端末装置の現在の活性キャリア（ａｃｔｉｖｅ  ｃａｒｒｉｅｒ）の個数であることを特徴とする、項目１２に記載の端末装置。
（項目１５）
前記第２のメッセージは、スキャン報告（ＡＡＩ−ＳＣＮ−ＲＳＰ）メッセージ及びハンドオーバー要請（ＡＡＩ−ＨＯ−ＲＥＱ）メッセージを含む、項目１２に記載の端末装置。
【国際調査報告】
2013543671.tif 000011
2013543671.tif 000012
2013543671.tif 000013
2013543671.tif 000014